(57)【特許請求の範囲】
【請求項１】
発信側移動端末機と着信側移動端末機との間に呼びを設定する第１ステップと、
前記設定された呼びを介して発信制御局と着信制御局との間にベアラ情報を伝送し、両制御局の呼びを制御する交換局（ＭＳＣ）により、前記両制御局の間の前記ベアラ情報を用いて、前記両制御局間のベアラパスを設定する第２ステップと、
前記交換局のトラフィック資源を使用せず、前記発信制御局と前記着信制御局の間に設定された前記ベアラパスを介して、前記発信側移動端末機と前記着信側移動端末機の何れか一方の端末機のデータを実時間で伝送する第３ステップと、
前記実時間伝送後、設定された呼びと前記ベアラパスを解除する第４ステップと、を備えたことを特徴とするＣＤＭＡ通信システムの呼び設定方法。
【請求項２】
前記呼びを設定する第１ステップは、音声呼び及びデータ呼びと関連する実時間の映像呼びのための新しいオプションを定義するステップと；
前記定義された新しいオプションに発信側ユーザーが着信番号を入力して実時間映像データ呼びを試みるステップと；
前記各端末機、制御局及び交換局が発信及び呼びを設定するステップとを備えることを特徴とする請求項１に記載のＣＤＭＡ通信システムの呼び設定方法。
【請求項３】
前記第１ステップにおいて呼び設定時トラフィックパスは設定することなくコントロールパスだけ設定することを特徴とする請求項１に記載のＣＤＭＡ通信システムの呼び設定方法。
【請求項４】
前記発信及び着信制御局間のベアラパスを設定する第２ステップは、前記発信端末機から呼び設定メッセージが到着すると発信制御局が該当情報を載せたＣＭサービスを交換局に要求して発信端末側と無線リンクを設定するステップと；
交換局が着信番号に該当する着信制御局に呼び出しを要求して着信制御局と着信端末機間に無線リンクを設定するステップと；
着信制御局のベアラ情報を発信制御局に伝達し、発信制御局が前記ベアラ情報に対する応答を着信制御局に伝達してベアラパスを形成するステップとを備えることを特徴とする請求項１に記載のＣＤＭＡ通信システムの呼び設定方法。
【請求項５】
前記着信制御局と交換局に伝送されたベアラ情報及び応答信号は、所定の設定時間の間伝送がなされるようにすることを特徴とする請求項４に記載のＣＤＭＡ通信システムの呼び設定方法。
【請求項６】
前記着信制御局と発信制御局間のベアラ情報及び応答信号は、エラー発生時、任意の回数に再伝送されることを特徴とする請求項４に記載のＣＤＭＡ通信システムの呼び設定方法。
【請求項７】
前記着信制御局のベアラ情報は着信制御局のベアラアドレスを含むことを特徴とする請求項４に記載のＣＤＭＡ通信システムの呼び設定方法。
【請求項８】
前記着信制御局のベアラ情報に対する応答は発信制御局のベアラアドレスと同期情報を含むことを特徴とする請求項４に記載のＣＤＭＡ通信システムの呼び設定方法。
【請求項９】
前記ベアラパスを解除する第４ステップは発信制御局が交換局にベアラパスの解除を要求するステップと；
前記交換局が発信及び着信制御局に解除命令を伝送するステップと、
前記発信及び着信制御局が交換局に解除完了を知らせるステップとを備えることを特徴とする請求項１に記載のＣＤＭＡ通信システムの呼び設定方法。
【請求項１０】
前記発信及び着信制御局と交換局と間の通信はコントロールパスチャネルを用いることを特徴とする請求項９に記載のＣＤＭＡ通信システムの呼び設定方法。
【発明の詳細な説明】
【０００１】
【発明の属する技術分野】
本発明は、ＣＤＭＡ通信システムに関するもので、特に、ＣＤＭＡ移動通信システムを用いて発信側端末機と着信側端末機と間に実時間に映像データのような高速データを伝送するのに適したＣＤＭＡ通信システムの呼び設定方法及びこのための呼び設定システムに関する。
【０００２】
【従来の技術】
一般に、ＣＤＭＡ移動通信システムにおいてデータ交換は回線交換方式とパケット交換方式とに分ける。
【０００３】
回転交換方式は二つの端末期間に定められた通信路や回線を設定して情報を交換するシステムで一旦通信路が設定されると、その通信路は一つのトランザクションの情報伝達だけのために独占され、専用回線に用いられる。又通信路が設定されれば、サブネットワークはこの通信路を通る情報を干渉することないので情報の形態、符号、伝送制御手続などに対して制約がない。
【０００４】
パケット交換方式は発信端末機から送られた情報を格納した後、一定した長さに分けて受信人のアドレスを付けた後パケット単位に伝送交換する方式である。
【０００５】
一般に、ＣＤＭＡ移動通信システムは移動局（ＭＳ）、基地局（ＢＴＳ）、制御局（ＢＳＣ）、交換局（ＭＳＣ）、ホーム位置登録機（ＨＬＲ）からなる。
移動局は移動電話加入者が移動通信サービスを受けるための端末機能を保持しており、発信信号開始及び呼び出しに対する応答へのランダム接続、位置登録、待機モードにおけるシステム情報放送及び呼び出し信号受信、優先呼び接続、通話中のリンク及び周辺セルのリンク品質を測定する。基地局ＢＴＳは移動局との無線接続及び移動局と制御局ＢＳＣと間の有無線接続機能を行う。制御局は基地局と交換局との間に位置して、基地局管理及び制御を担当し、基地局運用管理、無線チャネル割当制御、受け渡しの決定及び実施、送信停止及び受信制御を行う。交換局は移動電話加入者に移動通信サービスを提供し、加入者間の回線交換、入出中継呼び処理、ハンドオフ、ページング及びローミング機能などを有する。またホーム位置登録機は、移動局の現在の位置情報、移動加入者の状態、統計及び各種サービス関連情報などを管理するデータベースセンタである。
【０００６】
以下、添付図面を参照して従来技術によるＣＤＭＡ通信システムの呼び設定方法を説明する。
図１は従来技術によるＣＤＭＡ移動通信の呼び設定システムの構成図である。
一般的なＣＤＭＡ移動通信システムのデータサービス網はユーザー移動端末機である発信側移動端末機（ＭＳ）１０と、前記発信側移動端末機１０に対して無線インターフェイスとなる第１，第２基地局ＢＴＳ１２，１３と、前記第１、第２基地局１２，１３管理及び制御を担当する発信制御局ＢＳＣ１６と、ユーザー移動端末機である着信側移動端末機（ＭＳ）１１と、前記着信側移動端末機１１に対して無線インターフェイスとなる第３，第４基地局ＢＴＳ１４，１５と前記第３，第４基地局ＢＴＳ１４，１５を管理し制御する着信制御局ＢＳＣ１７と、前記発信制御局ＢＳＣ１６と前記着信制御局ＢＳＣ１７の呼びを制御する交換局ＭＳＣ１８と、前記交換局ＭＳＣ１８に接続されて移動加入者の呼び設定のための位置情報を格納し処理する位置登録機ＨＬＲ１９と、前記交換局１８と連動して回線データを処理するインターワーキングファンクションＩＷＦ２０と、前記交換機１８と接続された公衆交換電話網／公衆陸上移動網(ＰＳＴＮ／ＰＬＭＮ)綜合情報通信網ＩＳＤＮ２１と、前記発信制御局１６と前記着信制御局１７と間の交換機能を行うルータ２２と、前記ルータに接続されてパケットデータを処理するパケットデータ処理装置ＰＤＳＮ２３と、前記パケットデータ処理装置２３に接続されてインターネットサービスを提供するインターネットプロトコールネットワーク２４と、前記ＩＰネットワーク２４に接続されてインターネット上に接続されている前記発信側移動端末機１０と前記着信側移動端末機１１の位置情報を管理するホームエージェント２５と、前記ＩＰネットワークに接続されて他のネットワークのインターネットサービスプロバイダ(Provider)ＩＳＰ又は公衆陸上通信網ＰＬＭＮからローミングした前記発信側移動端末機１０と前記着信側移動端末機１１に対する認証、確認機能を行うＡＡＡサーバー２６から構成される。
【０００７】
このように、ＣＤＭＡ通信システムにおいてデータ呼びは回線データとパケットデータ呼びとが支援される。回線データは前記交換機ＭＳＣ１８と、前記ＩＷＦ２０とが連動して１４，４ｋｂｐｓ−６４ｋｂｐｓの範囲で処理され、パケットデータは前記パケットデータ処理装置ＰＤＳＮ２３により１４４ｋ、３８４ｋの範囲で処理される。
【０００８】
しかしながら、このような従来ＣＤＭＡ移動通信システムの呼び処理方法においては次のような問題があった。
第一に、回線データサービスを用いる場合、交換局単位チャネル容量が６４ｋｂｐｓであるので、３８４ｋｂｐｓデータを支援するためには６チャネル多重化を必要とし非常に複雑な呼び処理方式が要求される。
【０００９】
第二に、パケットデータサービスを用いる場合、パケットデータ処理装置ＰＤＳＮを経てインターネット上でユーザー間実時間データ伝送を行うためにはインターネット上のどこでも実時間データルーティングと関連した呼び制御を行うべきであるが現在はそのような呼び処理が支援されていないため、現在パケットデータ処理装置を用いたパケットデータサービスはインターネット接続用には適しているが、テレビ電話のようなユーザー間の実時間高速データを伝送するためのサービスには適していない。
【００１０】
【発明が解決しようとする課題】
本発明は、上記従来技術の問題点を解決するためのもので、制御局と制御局間にベアラパスを設定して実時間で高速に映像データをユーザー間に伝送できるＣＤＭＡ通信システムの呼び設定方法及びこのための呼び設定システムを提供することにその目的がある。
【００１１】
【課題を解決するための手段】
上記目的を達成するため、本発明にかかるＣＤＭＡ通信システムの呼び設定方法は、発信側移動端末機と着信側移動端末機との間に呼びを設定する第１ステップと、前記設定された呼びを介して発信制御局と着信制御局との間にベアラ情報を伝送し、両制御局の呼びを制御する交換局（ＭＳＣ）により、前記両制御局の間の前記ベアラ情報を用いて、前記両制御局間のベアラパスを設定する第２ステップと、前記交換局のトラフィック資源を使用せず、前記発信制御局と前記着信制御局の間に設定された前記ベアラパスを介して、前記発信側移動端末機と前記着信側移動端末機の何れか一方の端末機のデータを実時間で伝送する第３ステップと、前記実時間伝送後、設定された呼びと前記ベアラパスを解除する第４ステップと、を備えたことを特徴とするものである。
【００１３】
【発明の実施の形態】
以下、添付の図面を参照して本発明を更に詳細に説明する。
図２は本発明のＣＤＭＡ通信システムの呼び設定システムを説明するための構成図である。
本発明によるＣＤＭＡ通信システムの呼び設定装置は、図２に示すように、ユーザー移動端末である発信側移動端末機（ＭＳ）３０と、前記発信側移動端末機３０に対して無線インターフェイスとなる第１、第２基地局ＢＴＳ３２，３３と、前記第１、第２基地局３２，３３を管理し制御する発信制御局ＢＳＣ３６と、ユーザー移動端末機である着信側移動端末機（ＭＳ）３１と、前記着信側移動端末機３１に対して無線インターフェイスとなる第３、第４基地局ＢＴＳ３４，３５と、第３、第４基地局３４，３５を管理し制御する着信制御局ＢＳＣ３７と、前記発信制御局３６と前記着信制御局３７の呼びを制御する交換局ＭＳＣ３８と、前記交換局に接続されて移動加入者のページングのための位置情報を格納し処理する位置登録機ＨＬＲ３９と、前記発信制御局３６と前記着信側制御局３７と間に直接リンクを設定するルータ４０とからなる。
【００１４】
このように構成された本発明によるＣＤＭＡ移動通信システムの呼び設定方法を説明すると次の通りである。
先ず、発信側移動端末機３０のユーザーが着信側移動端末機３１のＩＭＳＩ(国際移動局識別番号)を入力して呼びを試みると、前記発信側移動端末機３０はこの端末機が位置するセル領域に該当する第１基地局３２又は第２基地局３３と無線インターフェイスされる。
【００１５】
又、発信制御局３６は前記発信側移動端末機３０と無線インターフェイスされた第１基地局３２又は第２基地局３３を運用管理しつつ制御する。
また、発信制御局３６を介して移動通信サービスを提供する交換局３８は前記発信側移動端末機３０から呼びがなされた前記着信側移動端末機３１の位置情報を確認し、この位置情報の示す位置の着信側移動端末機３１の該当着信制御局３７と、この着信制御局３７から制御される第３基地局３４又は第４基地局３５を介して前記発信側移動端末機３０と、着信移動端末機３１との間に呼びを設定する。
【００１６】
この時、発信側移動端末機３０と、着信側移動端末機３１とがＩＭＳＩを用いて呼びを設定する前に実時間映像データのための新しいサービスオプションを定義する。
前記新たに定義されたサービスオプションは既存の音声呼び及びデータ呼びと関連したサービスオプションを変形して定義されたものである。
また、実時間映像データ呼びは太実線に示した発信側制御局３６と着信側制御局３７と間の直接リンクを設定するルータ４０によって通信経路が設定され、着信側移動端末機３１加入者の番号解読と発信及び着信呼びと関連した制御経路は点線に示した音声呼び経路と同一である。
【００１７】
また、発信及び着信各々の無線チャネル設定手続は前記音声呼び処理と同一に該当バージョンに適用されるＣＤＭＡ  ＣＡＩ標準規格(IS-95A/B、J-STD-008、IS-2000)が適用される。ここで、図２のようなＣＤＭＡ通信システムはＩＳ−２０００  ＩＸ  ＲＴＴ  ＣＤＭＡ移動通信技術であり、前記発信制御局と前記交換局、前記着信制御局と前記交換局の制御手続は北米方式のＴＩＡ／ＥＩＡ  ３ＧＩＯＳ規格に適用される。
【００１８】
図３は本発明によるＣＤＭＡ通信システムの呼び設定動作を説明するためのフローチャートである。
本発明によるＣＤＭＡ通信システムの呼び設定装置は、図３に示すように、先ず着信ＩＭＳＩを用いて実時間映像データ呼びを試みる（Ｓ１１）。
ここで、音声呼び及びデータ呼びと関連された既存のサービスオプションに１Ｍｂｐｓレート以上の実時間映像データ呼びのための新しいサービスオプションを定義して、発信側移動端末機のユーザーが着信側ＩＭＳＩを入力する。
次に、既存ＩＳ−２０００  ＣＡＩ及び３Ｇ  ＩＯＳ  ＡＩ手続によって、発信及び着信呼びを設定する（Ｓ１２）。
【００１９】
この時、発生制御局と交換局、着信制御局と交換局、交換局と交換局とのコントロールパスは保持するものの、トラフィックパスは設定しない。
その次前記コントロールパスチャネルを用いて、着信制御局ベアラパス（搬送経路）情報を発信制御局へ伝える（Ｓ１３）。
前記伝達結果（Ｓ１３）、発信制御局と着信制御局と間のＭ−Ｍ(Mobile-Mobile)ベアラパスを設定する（Ｓ１４）。
前記ベアラパス設定後（Ｓ１４）、発信及び着信端末機のユーザーデータを伝送する発信制御局と着信制御局と間の実時間映像データを伝送する（Ｓ１５）。
その次、呼びを解除する（Ｓ１６）。
ここで、呼び解除は既存ＩＳ−２０００ＣＡＩ及び３ＧＩＯＳＡＩ手続を用いる。
【００２０】
図４は本発明によるＣＤＭＡ通信システムの呼び設定のうち、ベアラパス設定の流れを説明するための図である。
図４を参照すると、先ず制御局と交換局と間の３ＧＩＯＳの既存呼び設定手続として発信端末機で新たに定義された実時間データサービスオプションと着信ディジットが含まれる呼び設定メッセージが発信制御局に到着すれば、発信制御局から交換局の発信側にコントロールパスチャネルを介して、呼び設定要求のＣＭサービスを要求する（Ｓ２０）。
【００２１】
前記要求後（Ｓ２０）、交換局は発信側に含まれた着信番号を解読した後位置登録機ＨＬＲに照会して該当端末機の位置を把握した後、交換局の着信側から着信制御局にコントロールパスチャネルを介して呼び出しを要求する（Ｓ２１）。
また、端末側にＩＳ−２０００ＣＡＩプロトコールとして無線リンク設定資源を要求する発信制御局のコントロールパスチャネルを介して発信制御局に資源割当が要求される（Ｓ２２）。
【００２２】
前記呼び出し要求の結果（Ｓ２１）、着信端末から呼び出し応答が着信制御局に到着すれば、着信制御局から交換局の着信側にコントロールパスチャネルを介して、呼び出し応答する（Ｓ２３）。
次に、着信端末にＩＳ−２０００ＣＡＩプロトコールとして無線リンク設定資源を要求する交換局の着信側から前記着信制御局にコントロールパスチャネルを介して、資源割り当てを要求する（Ｓ２４）。
前記資源割り当て要求後（Ｓ２４）、発信端末との無線リンクが完了されたことを発信制御局から交換局の発信側にコントロールパスチャネルを介して知らせる（Ｓ２５）。
また、前記資源割り当て要求後（Ｓ２４）、着信端末との無線リンクが完了されたことを着信制御局から交換局の着信側にコントロールパスチャネルを介して知らせる（Ｓ２６）。
【００２３】
前記完了後（Ｓ２６）、発信制御局と交換局、着信制御局と交換局と間にはコントロールチャネルが割り当てられるが、トラフィックチャネルは割り当てられない。  前記発信及び着信コントロールチャネルが割り当てられてコントロールパスが設定されると、前記新たなサービスオプションを用いて着信側ベアラアドレスを含めたベアラ情報を、着信制御局から交換局の着信側にコントロールパスチャネルを介して、制御局情報として伝える（Ｓ２７）。
また、前記交換局の着信側に受信された制御局情報を、交換局の発信側から発信側制御局にコントロールパスチャネルを介して伝える（Ｓ２８）。
【００２４】
ここで、前記伝送中に（Ｓ１７，Ｓ１８）、ベアラパス情報の確実な伝達のために着信側制御局と発信側交換局において各々タイマーを作動させベアラアドレスを含めたベアラ情報信号が所定の設定時間の間に伝送されるようにし、エラー発生時所定の設定回数再伝送されるようにする。
また、前記伝送後（Ｓ２７）、交換局の着信側から着信制御局にコントロールパスチャネルを介して制御局情報応答を伝送する（Ｓ２９）。
また、前記伝送後（Ｓ２８）、発信制御局から交換局の発信側にコントロールパスチャネルを介して制御局情報応答を伝送する（Ｓ３０）。
ここで、前記伝送後に（Ｓ２９，Ｓ３０）前記タイマーを停止させる。
【００２５】
前記着信制御局から交換局を介して着信制御局ベアラアドレスを含めたベアラ情報を受信した発信制御局は、この着信制御局のベアラアドレスを含めたベアラ情報を発信制御局のベアラ処理部（即ち、無線ＣＤＭＡフレーム処理部）へ伝える。
また、前記ベアラ処理部は前記受信された着信制御局のベアラアドレスを用いて発信制御局から着信制御局にベアラパスチャネルを介して、発信制御局ベアラ情報と同期情報とを伝送する（Ｓ３１）。
【００２６】
また、前記発信制御局ベアラ情報と同期情報の確実な伝達のために発信制御局にタイマーを駆動して任意の時間の間情報が伝えられるようにし、エラー発生時任意の回数再伝送する。
前記伝送後（Ｓ３１）、着信制御局から発信制御局にベアラパスチャネルを介して、着信制御局ベアラ情報と同期情報を伝送する（Ｓ３２）。
前記伝送後（Ｓ３２）、発信制御局と着信制御局と間にベアラパスが設定されて実時間映像データを双方向伝送し、この時伝送するデータは発信制御局と着信制御局に属する移動端末機のユーザーデータであり、上位プロトコール処理はＩＳＤＮ網における回線データ処理と同様に発信移動局対着信移動局のｐｅｅｒ−ｔｏ−ｐｅｅｒ（１対１対等型）プロトコールにより処理される。
ここで、図に示しているＴ３０３、Ｔ１０はタイマーであり所定設定値が設定され標準化されている。
【００２７】
図５は本発明によるＣＤＭＡ移動通信の呼び解除の動作順序図である。
図５を参照すると、先ず発信制御局から交換局の発信側にコントロールパスチャネルを介して解除を要求する（Ｓ４０）。
前記要求後に（Ｓ４０）、交換局の着信側から着信制御局にコントロールパスチャネルを介して、解除命令を伝送する（Ｓ４１）。
また、前記交換局の発信側から発信制御局にコントロールパスチャネルを介して解除命令を伝送する（Ｓ４２）。
【００２８】
前記伝送後（Ｓ４２）、ＩＳ−２０００ＣＡＩプロトコールにおける着信端末側無線リンク設定が解除されることを、着信制御局から交換局の着信側にコントロールパスチャネルを介して知らせる（Ｓ４３）。
前記伝送後（Ｓ４２）、ＩＳ−２０００ＣＡＩプロトコールにおける発信端末側無線リンク設定が解除されることを、発信制御局から交換局の発信側にコントロールパスチャネルを介して知らせる（Ｓ４４）。
ここで、呼びが解除されれば、発信制御局と着信制御局間のベアラパスチャネルはコントロールパスチャネルに収める。
【００２９】
【発明の効果】
以上、説明したように本発明は次のような効果がある。
第一に、本発明は発信制御局と着信制御局と間に直接経路を用いるので交換局のトラフィック資源を浪費することなく、複雑な交換局の多重６４ｋ資源の使用が避けられる。
【００３０】
第二に、本発明に適用された実時間映像データ処理は、発信制御局と着信制御局間の回線容量が確保されれば、ＩＭＴー２０００サービスなどの１Ｍｂｐｓ及び２Ｍｂｐｓレート制御にもそのまま適用することができる。
【００３１】
第三に、呼び設定における追加制御手続であるベアラパス設定は制御局と交換局と間に確立されたコントロールパスチャネルを用いることによって呼び設定の成功率を高めることができる。
【００３２】
第四に、本発明はＩＳ−２０００ＩＸ  ＲＴＴ  ＣＤＭＡ移動通信技術を用いたディジタルセルラーシステムや個人携帯通信システム、ローカルループシステム、またＩＭＴー２０００システムに全て適用される。
従って、本発明の技術的な範囲は実施形態に記載された内容に限定するものではなく特許請求範囲によって決めるわけである。
【図面の簡単な説明】
【図１】従来技術によるＣＤＭＡ通信システムの呼び設定を説明するための構成図。
【図２】本発明によるＣＤＭＡ通信システムの呼び設定を説明するための構成図。
【図３】本発明によるＣＤＭＡ通信システムの呼び設定動作を説明するためのフローチャト。
【図４】本発明によるＣＤＭＡ通信システムの呼び設定のうち、ベアラパス設定の動作順序図。
【図５】本発明によるＣＤＭＡ通信システムの呼び解除の動作順序図。
【符号の説明】
３０  発信側移動端末機
３１  着信側移動端末機
３２  第１基地局
３３  第２基地局
３４  第３基地局
３５  第４基地局
３６  着信制御局
３７  発信制御局
３８  交換局
３９  位置登録機
４０  ルータ
【図１】
0003731733.tif 000002
【図２】
0003731733.tif 000003
【図３】
0003731733.tif 000004
【図４】
0003731733.tif 000005
【図５】
0003731733.tif 000006